(57)【要約】【課題】ＤＶＤレコーダ等の記録装置において、ＤＶカメラの撮像データを記録装置にダビングする際に、ユーザによる操作の手間を低減する。【解決手段】ＤＶＤレコーダにＤＶカメラを接続すると（Ｓ１）、機器制御部が、機器が接続されたことを検知し（Ｓ２）、制御用マイコンの電源状態の検知を行う（Ｓ３）。制御用マイコンの電源がオフである場合（Ｓ４でＮＯ）、機器制御部は制御用マイコンの電源をオンに切り替える（Ｓ５）。制御用マイコンはＤＶカメラが接続されたか否かの判断を行い（Ｓ６）、接続されたと判断した場合（Ｓ７でＹＥＳ）、ＤＶカメラの状態を判断する（Ｓ８）。この結果、Ｔａｐｅ再生モードである場合（Ｓ９でＹＥＳ）、制御用マイコンはＤＶカメラにＴａｐｅの巻き戻しコマンドを送信し（Ｓ９）、ＤＶカメラがＴａｐｅの先頭から撮像データの再生と送信とを行うと（Ｓ１０）、この撮像データをＤＶＤにダビングする（Ｓ１１）。【選択図】図４
2007174608.tif 000002
【特許請求の範囲】
【請求項１】
ＩＥＥＥ１３９４用の制御コマンドによる制御が可能であり、撮像した撮像データが記録されたＤＶ（Ｄｉｇｉｔａｌ  Ｖｉｄｅｏ）カメラとＩＥＥＥ１３９４シリアルバスを介して接続され、
前記ＤＶカメラとの間でＩＥＥＥ１３９４用の制御コマンドとその応答信号の送受信、及び前記撮像データの送受信を行うためのＩＥＥＥ１３９４インタフェースと、
前記ＩＥＥＥ１３９４インタフェースに、前記ＩＥＥＥ１３９４シリアルバスを介して電源オン状態の機器が接続されたことを検知する接続検知手段と、
前記ＤＶカメラにより撮像された撮像データ等のデータを記録媒体に記録する記録手段と、
前記記録手段によるデータの記録を制御する制御用マイコンとを備えた記録装置において、
前記制御用マイコンの電源がオン状態かオフ状態かを検知する電源検知手段と、
前記制御用マイコンの電源のオン／オフを制御する電源制御手段とをさらに備え、
前記電源制御手段は、前記接続検知手段により機器が接続されたことが検知されたときに、前記電源検知手段により前記制御用マイコンの電源がオフ状態であると検知された場合には、前記制御用マイコンの電源をオンに切り替えると共に、前記撮像データの前記記録媒体への記録の終了時に、前記制御用マイコンの電源をオフに切り替え、
前記制御用マイコンは、前記接続検知手段により機器が接続されたことが検知されたときに、接続された機器がＤＶカメラであるか否かを判断し、ＤＶカメラが接続されたと判断した場合に、前記ＤＶカメラの状態がＴａｐｅ再生モードであるか否かを判断して、Ｔａｐｅ再生モードであると判断したときに、前記ＤＶカメラに対して撮像データを送信するように制御コマンドを送信して、前記ＤＶカメラから送信された撮像データを前記記録手段により記録媒体に記録するように制御することを特徴とする記録装置。
【請求項２】
ＩＥＥＥ１３９４用の制御コマンドによる制御が可能であり、撮像した撮像データが記録されたＤＶ（Ｄｉｇｉｔａｌ  Ｖｉｄｅｏ）カメラとＩＥＥＥ１３９４シリアルバスを介して接続され、
前記ＤＶカメラとの間でＩＥＥＥ１３９４用の制御コマンドとその応答信号の送受信、及び前記撮像データの送受信を行うためのＩＥＥＥ１３９４インタフェースと、
前記ＩＥＥＥ１３９４インタフェースに、前記ＩＥＥＥ１３９４シリアルバスを介して電源オン状態の機器が接続されたことを検知する接続検知手段と、
前記ＤＶカメラにより撮像された撮像データ等のデータを記録媒体に記録する記録手段と、
前記記録手段によるデータの記録を制御する制御用マイコンとを備えた記録装置において、
前記制御用マイコンは、前記接続検知手段により機器が接続されたことが検知されたときに、接続された機器がＤＶカメラであるか否かを判断し、接続された機器がＤＶカメラであると判断した場合に、前記ＤＶカメラに対して撮像データを送信するように制御コマンドを送信して、前記ＤＶカメラから送信された撮像データを前記記録手段により記録媒体に記録するように制御することを特徴とする記録装置。
【請求項３】
前記制御用マイコンの電源がオン状態かオフ状態かを検知する電源検知手段と、
前記制御用マイコンの電源のオン／オフを制御する電源制御手段とをさらに備え、
前記電源制御手段は、前記接続検知手段により機器が接続されたことが検知されたときに、前記電源検知手段により前記制御用マイコンの電源がオフ状態であると検知された場合には、前記記録制御用マイコンの電源をオンに切り替えることを特徴とする請求項２に記載の記録装置。
【発明の詳細な説明】
【技術分野】
【０００１】
本発明は、ＤＶ（Ｄｉｇｉｔａｌ  Ｖｉｄｅｏ）カメラとＩＥＥＥ１３９４シリアルバスを介して接続可能な記録装置に関し、特にダビング技術に関する。
【背景技術】
【０００２】
従来から、ＤＶカメラと、ＤＶＤ（Ｄｉｇｉｔａｌ  Ｖｅｒｓａｔｉｌｅ  Ｄｉｓｃ）レコーダ又はハードディスクレコーダ等の記録装置とをＩＥＥＥ１３９４シリアルバスケーブルを介して接続し、ＤＶカメラ側のＤＶテープに記録されている撮像データを記録装置にダビングするものが知られている。
【０００３】
ＤＶカメラの撮像データを、例えばＤＶＤレコーダにダビングする際に、ユーザが行う、一般的な操作について説明する。まず、ユーザは、ＤＶカメラとＤＶＤレコーダとをＩＥＥＥ１３９４シリアルバスケーブルで接続する。そして、ＤＶＤレコーダ側の設定メニューにおいて、ＤＶカメラの巻き戻しを選択し、ＤＶカメラに装着されたＤＶテープを先頭まで巻き戻した後、ＤＶＤレコーダ側の設定メニューのダビングの選択と決定ボタンの選択を行ってダビング処理を開始させる。すると、ＤＶＤレコーダは、ＩＥＥＥ１３９４シリアルバスケーブルを介してＤＶカメラに再生コマンドを送信し、このコマンドを受け取ったＤＶカメラがＤＶテープの再生を開始するのと同時に、ＤＶＤレコーダが記録を開始する。これにより、ダビングが開始される。
【０００４】
上述のように、ＤＶカメラの撮像データをＤＶＤレコーダにダビングする際に、ユーザは、ＩＥＥＥ１３９４シリアルバスケーブルを介してＤＶカメラとＤＶＤレコーダを接続し、ＤＶＤレコーダ側の設定メニューにおいて、ＤＶカメラの巻き戻しを選択し、ＤＶカメラに装着されたＤＶテープを先頭まで巻き戻した後、ＤＶＤレコーダ側の設定メニューのダビングを選択してさらに決定ボタンの選択を行うことによりダビングを開始することができる。しかし、ダビング時にユーザの操作が煩わしいという問題がある。
【０００５】
これに対して、記録装置において、ダビングが選択されると、ＤＶカメラの状態を問い合わせる信号を出力し、ＤＶカメラがダビング可能であることを確認した上でダビング処理を自動的に行うものが知られている（例えば、特許文献１参照）。しかし、この記録装置では、ユーザは、設定メニューの巻き戻しやダビングを選択しなければならず、上記問題を解決できない。
【０００６】
ところで、ダビング処理実行中のダビング情報（テープの位置、残り時間など）を記録するフラッシュＲＯＭを有する記録装置において、ダビング処理を開始した後に中断され、また再開した場合、フラッシュＲＯＭからダビング情報を読み出し、この情報に基いてダビング処理を再設定するものが知られている（例えば、特許文献２参照）。また、ＤＶＤレコーダにおいて、インタフェース部にＤＶカメラをＩＥＥＥ１３９４シリアルバスケーブルを介して接続した場合、コントローラ部がＤＶカメラのみをダビング可能なビデオモードに設定することができるものが知られている（例えば、特許文献３参照）。しかし、上記特許文献２及び特許文献３に記載された発明では、上記問題を解決できない。
【特許文献１】特開２００２−２９０９０３号公報
【特許文献２】特開２００１−１６７５１６号公報
【特許文献３】特開２００１−１６０８８１号公報
【発明の開示】
【発明が解決しようとする課題】
【０００７】
本発明は、上述した問題点を解決するためになされたものであり、ＤＶカメラを記録装置に接続し、ＤＶカメラの撮像データを記録装置にダビングする際に、ユーザによる操作の手間を低減することが可能な記録装置を提供することを目的とする。
【課題を解決するための手段】
【０００８】
上記目的を達成するために請求項１の発明は、ＩＥＥＥ１３９４用の制御コマンドによる制御が可能であり、撮像した撮像データが記録されたＤＶ（Ｄｉｇｉｔａｌ  Ｖｉｄｅｏ）カメラとＩＥＥＥ１３９４シリアルバスを介して接続され、前記ＤＶカメラとの間でＩＥＥＥ１３９４用の制御コマンドとその応答信号の送受信、及び前記撮像データの送受信を行うためのＩＥＥＥ１３９４インタフェースと、前記ＩＥＥＥ１３９４インタフェースに、前記ＩＥＥＥ１３９４シリアルバスを介して電源オン状態の機器が接続されたことを検知する接続検知手段と、前記ＤＶカメラにより撮像された撮像データ等のデータを記録媒体に記録する記録手段と、前記記録手段によるデータの記録を制御する制御用マイコンとを備えた記録装置において、前記制御用マイコンの電源がオン状態かオフ状態かを検知する電源検知手段と、前記制御用マイコンの電源のオン／オフを制御する電源制御手段とをさらに備え、前記電源制御手段は、前記接続検知手段により機器が接続されたことが検知されたときに、前記電源検知手段により前記制御用マイコンの電源がオフ状態であると検知された場合には、前記制御用マイコンの電源をオンに切り替えると共に、前記撮像データの前記記録媒体への記録の終了時に、前記制御用マイコンの電源をオフに切り替え、前記制御用マイコンは、前記接続検知手段により機器が接続されたことが検知されたときに、接続された機器がＤＶカメラであるか否かを判断し、ＤＶカメラが接続されたと判断した場合に、前記ＤＶカメラの状態がＴａｐｅ再生モードであるか否かを判断して、Ｔａｐｅ再生モードであると判断したときに、前記ＤＶカメラに対して撮像データを送信するように制御コマンドを送信して、前記ＤＶカメラから送信された撮像データを前記記録手段により記録媒体に記録するように制御するものである。
【０００９】
請求項２に記載の発明は、ＩＥＥＥ１３９４用の制御コマンドによる制御が可能であり、撮像した撮像データが記録されたＤＶ（Ｄｉｇｉｔａｌ  Ｖｉｄｅｏ）カメラとＩＥＥＥ１３９４シリアルバスを介して接続され、前記ＤＶカメラとの間でＩＥＥＥ１３９４用の制御コマンドとその応答信号の送受信、及び前記撮像データの送受信を行うためのＩＥＥＥ１３９４インタフェースと、前記ＩＥＥＥ１３９４インタフェースに、前記ＩＥＥＥ１３９４シリアルバスを介して電源オン状態の機器が接続されたことを検知する接続検知手段と、前記ＤＶカメラにより撮像された撮像データ等のデータを記録媒体に記録する記録手段と、前記記録手段によるデータの記録を制御する制御用マイコンとを備えた記録装置において、前記制御用マイコンは、前記接続検知手段により機器が接続されたことが検知されたときに、接続された機器がＤＶカメラであるか否かを判断し、接続された機器がＤＶカメラであると判断した場合に、前記ＤＶカメラに対して撮像データを送信するように制御コマンドを送信して、前記ＤＶカメラから送信された撮像データを前記記録手段により記録媒体に記録するように制御するものである。
【００１０】
請求項３に記載の発明は、請求項２に記載の記録装置において、前記制御用マイコンの電源がオン状態かオフ状態かを検知する電源検知手段と、前記制御用マイコンの電源のオン／オフを制御する電源制御手段とをさらに備え、前記電源制御手段は、前記接続検知手段により機器が接続されたことが検知されたときに、前記電源検知手段により前記制御用マイコンの電源がオフ状態であると検知された場合には、前記記録制御用マイコンの電源をオンに切り替えるものである。
【発明の効果】
【００１１】
本発明によれば、制御用マイコンは、機器が接続されたことが検知されたときに、接続された機器がＤＶカメラであるか否かを判断し、接続された機器がＤＶカメラであると判断した場合に、ＤＶカメラに対して撮像データを送信するように制御コマンドを送信して、ＤＶカメラから送信された撮像データを記録媒体に記録するように制御する。これにより、従来のように記録装置をユーザが操作することなく、ＤＶカメラの撮像データを記録装置にダビングすることができるので、ユーザによる操作の手間を低減することができる。
【発明を実施するための最良の形態】
【００１２】
以下、本発明を実施するための最良の形態について図面を参照して説明する。本発明は、ＩＥＥＥ１３９４シリアルバスを介して接続されたＤＶ（Ｄｉｇｉｔａｌ  Ｖｉｄｅｏ）カメラ及び記録装置に関するものである。以下の実施形態では、ＤＶＤレコーダを記録装置として適用した場合について説明する。なお、以下に記載した実施形態は、本発明を網羅するものではなく、本発明は、下記の形態に限定されない。
【００１３】
図１は、本実施形態に係るＤＶＤレコーダ１（記録装置）と、このＤＶＤレコーダ１とＩＥＥＥ１３９４シリアルバスケーブル３を介して接続されているＤＶカメラ２の外観を示す。ＤＶＤレコーダ１は、ＤＶカメラ２から送信された撮像データを受信してＤＶＤ（記録媒体）に保存する。
【００１４】
次に、ＤＶＤレコーダ１の内部構成について、図２を参照して説明する。図２は、ＤＶＤレコーダ１の内部構成を示す。ＤＶＤレコーダ１は、ＩＥＥＥ１３９４インタフェース１２と、ＤＶＤレコーダ１を操作指示するための操作部１８と、各種メッセージを表示するための表示部１９と、ＤＶＤレコーダ１内に装着されたＤＶＤ１７と、ＤＶＤ１７に対してデータの記録再生を行う記録再生部１６（記録手段）と、ＤＶＤレコーダ１の装置各部を制御するための制御用マイコン１１とを備えている。また、ＤＶＤレコーダ１は、ＩＥＥＥ１３９４インタフェース１２と、ＩＥＥＥ１３９４インタフェース１２に送信された信号を検知して制御用マイコン１１を制御する機器制御部１５とを備えている。制御用マイコン１１は、ＩＥＥＥ１３９４インタフェース１２に、ＩＥＥＥ１３９４シリアルバスケーブル３を介して接続された機器を判断する機能を有する。
【００１５】
ＩＥＥＥ１３９４インタフェース１２は、ＩＥＥＥ１３９４シリアルバスケーブル３を接続するためのポート２０と、ＩＥＥＥ１３９４プロトコルにおける物理層レベルのサービスを提供するＰＨＹ１３と、リンク層レベルのサービスを提供するＬＩＮＫ１４とを有している。また、ＩＥＥＥ１３９４インタフェース１２は、ＤＶカメラ２との制御用コマンドとその応答信号の送受信、及びＤＶカメラ２から送信される撮像データの受信を行う。機器制御部１５は、電源オン状態の機器がＩＥＥＥ１３９４インタフェース１２に接続されたことを検知する接続検知手段、制御用マイコン１１の電源がオン状態かオフ状態かを検知する電源検知手段、及び制御用マイコン１１の電源のオン／オフを制御する電源制御手段として機能する。
【００１６】
次に、ＤＶカメラ２の内部構成について、図３を参照して説明する。図３は、ＤＶカメラ２の内部構成を示す。ＤＶカメラ２は、ＶＴＲ一体型のＤＶカメラであり、ＩＥＥＥ１３９４インタフェース２８と、撮像した被写体をデータ信号として出力するＣＣＤ２６（Ｃｈａｒｇｅ  Ｃｏｕｐｌｅｄ  Ｄｅｖｉｃｅ）と、各装置の制御及び画像処理を行う制御部２１と、撮像データを記録するＤＶテープ２４と、ＤＶテープ２４に対して撮像データの記録再生を行う記録再生部２５と、画像を表示する液晶モニタ２３と、ＤＶカメラ２を操作指示するための操作部２２と、ＤＶテープ２４の始端終端を検出する始端終端検出センサ２７とを備えている。
【００１７】
ＩＥＥＥ１３９４インタフェース２８は、ＩＥＥＥ１３９４シリアルバスケーブル３を介してＤＶＤレコーダ１から送信される制御用コマンド等の送受信、及びＤＶＤレコーダ１への撮像データの送信を行う。記録再生部２５は、ＣＣＤ２６が撮像して制御部２１が変換したストリームデータのＤＶテープ２４への書き込みや、ＤＶテープ２４に記録されたストリームデータの再生等を行う。
【００１８】
次に、ＤＶカメラ２の撮像データをＤＶＤレコーダ１のＤＶＤ１７にダビングする処理について図２乃至図４を参照して説明する。図４は、ダビング処理を行う際のＤＶＤレコーダ１の処理を示す。ここでは、ＤＶカメラ２の電源は既にオンされているものとする。まず、ユーザが、ＤＶＤレコーダ１のポート２０に、ＩＥＥＥ１３９４シリアルバスケーブル３の一端側を接続し、ＩＥＥＥ１３９４シリアルバスケーブル３の他端側をＤＶカメラ２のポート（図示せず）に接続すると（Ｓ１）、ＤＶＤレコーダ１の機器制御部１５が、機器が接続されたことを検知して（Ｓ２）、制御用マイコン１１の電源状態の検知を行う（Ｓ３）。
【００１９】
上記Ｓ３の検知の結果、制御用マイコン１１の電源がオンである場合（Ｓ４でＹＥＳ）、制御用マイコン１１は接続された機器がＤＶカメラ２であるか否かを判断する（Ｓ６）。一方、制御用マイコン１１の電源がオフである場合（Ｓ４でＮＯ）、機器制御部１５が制御用マイコン１１の電源をオンに切り替え（Ｓ５）、電源をオンされた制御用マイコン１１は上記Ｓ６の処理を行う。
【００２０】
上記Ｓ６の判断の結果、制御用マイコン１１が、ＤＶカメラ２が接続されたと判断した場合（Ｓ７でＹＥＳ）、制御用マイコン１１は、ＤＶカメラ２の状態がＴａｐｅ再生モードであるか否かを判断する（Ｓ８）。一方、ＤＶカメラ２が接続されていないと判断した場合（Ｓ７でＮＯ）、Ｓ１５の処理へ進む。
【００２１】
上記Ｓ７の判断の結果、ＤＶカメラ２の状態がＴａｐｅ再生モードである場合（Ｓ９でＹＥＳ）、制御用マイコン１１はＤＶカメラ２に対して巻き戻しコマンドを送信して、ＤＶテープ２４を先頭まで巻き戻した上で（Ｓ１０）、ダビング処理を行い（Ｓ１１）、ＤＶカメラ２の制御部２１がＤＶカメラ２の電源状態をオフする電源オフ制御機能を有するか否かの検知を行う（Ｓ１２）。なお、ダビング処理の詳細については後述する。一方、上記Ｓ８の判断の結果、ＤＶカメラ２の状態がＴａｐｅ再生モードでない場合（Ｓ９でＮＯ）、Ｓ１５の処理へ進む。
【００２２】
上記Ｓ１２の検知の結果、ＤＶカメラ２の制御部２１が電源オフ制御機能を有する場合（Ｓ１３でＹＥＳ）、制御用マイコン１１が、ＤＶカメラ２に電源オフコマンドを送信し（Ｓ１４）、ＤＶ２カメラ２の電源状態をオフにする。一方、電源オフ制御機能を有しない場合（Ｓ１３でＮＯ）、上記Ｓ１４の処理は行わない。
【００２３】
次に、機器制御部１５は上記Ｓ４の判断にて制御用マイコン１１の電源がオンであったか否かの判断を行う（Ｓ１５）。上記Ｓ１５の判断の結果、制御用マイコン１１の電源がオフであり、上記Ｓ５の処理において電源がオフからオンに切り替えられていた場合（Ｓ１６でＹＥＳ）、機器制御部１５は制御用マイコン１１の電源をオフに切り替え（Ｓ１７）、当処理を終了する。一方、制御用マイコン１１の電源をオフからオンに切り替えていない場合（Ｓ１６でＮＯ）、上記Ｓ１７の処理は行わないで、当処理を終了する。
【００２４】
次に、前述したダビング処理（Ｓ１１）について、図５を参照して説明する。ダビング処理が開始されると、制御用マイコン１１が、ＤＶカメラ２に再生コマンドを送信し（Ｓ２１）、ＤＶカメラ２に撮像データを再生させると共に、撮像データを送信させる（Ｓ２２）。制御用マイコン１１はＤＶカメラ２から送信された撮像データを、記録再生部１６を制御することによりＤＶＤ１７にダビングする（Ｓ２３）。そして、制御用マイコン１１は、始端終端検出センサ２７によりＤＶテープ２４の終端を検出すると（Ｓ２４でＹＥＳ）、ＤＶカメラ２に対して停止コマンドを送信して、ＤＶカメラ２を停止させると共に、ＤＶＤレコーダ１による記録を停止させて、ダビング処理を終了する。
【００２５】
なお、ここでは、電源オン状態のＤＶカメラ２をＤＶＤレコーダ１にＩＥＥＥ１３９４シリアルバスケーブル３を介して接続する場合について説明したが、電源オフ状態のＤＶカメラ２をＤＶＤレコーダ１にＩＥＥＥ１３９４シリアルバスケーブル３を介して接続する場合、ＤＶＤレコーダ１の機器制御部１５は、ＤＶカメラ２の機器情報を取得できないため、上記Ｓ２以降の処理を行うことなしに、当処理を終了する。
【００２６】
上記のように、本実施形態に係るＤＶＤレコーダ１によれば、機器制御部１５が制御用マイコン１１の電源状態の検知を行い、電源がオフである場合、制御用マイコン１１の電源をオフからオンに切り替える。また、制御用マイコン１１は、機器が接続されたことが検知されたときに、接続された機器がＤＶカメラ２であるか否かを判断し、接続された機器がＤＶカメラ２であると判断した場合に、ＤＶカメラ２に対して撮像データを送信するように制御コマンドを送信する。そして、制御用マイコン１１は、ＤＶカメラ２から送信された撮像データをＤＶＤ１７に記録するように記録再生部１６を制御する。そのため、従来と異なり、ユーザがＤＶカメラ２をＩＥＥＥ１３９４シリアルバスケーブル３を介してＤＶＤレコーダ１に接続するだけで、ＤＶＤレコーダ１をユーザが操作することなく、ＤＶカメラ２の撮像データをＤＶＤレコーダ１にダビングすることができるため、ユーザによる操作の手間を低減することができる。また、ＤＶＤレコーダ１の制御用マイコン１１の電源状態がオフである場合でも、ユーザは制御用マイコン１１の電源状態をオンに切り替える操作を行う必要なしにダビングすることができる。さらにまた、ＤＶカメラ２の制御部２１が電源オフ制御機能を有する場合、ＤＶＤレコーダ１の制御用マイコン１１がＤＶカメラ２に電源オフコマンドを送信することによりＤＶカメラ２の電源状態をオフすることができるため、ユーザはダビング終了時に、ＤＶカメラ２の電源状態をオフに切り替える操作を行う必要がない。
【００２７】
なお、本発明は、上記実施形態の構成に限られず、発明の趣旨を変更しない範囲で種々の変形が可能である。例えば、上記実施形態では、記録装置としてＤＶＤレコーダ１を適用した例を示したが、これに限られず、記録媒体としてハードディスクを内蔵したハードディスクレコーダに本発明を適用してもよい。
【図面の簡単な説明】
【００２８】
【図１】本発明の一実施形態に係るＤＶカメラとＤＶＤレコーダの外観を示す図。
【図２】上記ＤＶＤレコーダの構成を示すブロック図。
【図３】上記ＤＶカメラの構成を示すブロック図。
【図４】上記ＤＶカメラの撮像データをＤＶＤレコーダのＤＶＤにダビングする際のダビング処理の手順を示す図。
【図５】上記処理におけるダビング処理の詳細な手順を示す図。
【符号の説明】
【００２９】
１  ＤＶＤレコーダ（記録装置）
２  ＤＶカメラ
３  ＩＥＥＥ１３９４シリアルバスケーブル
１１  制御用マイコン（記録制御用マイコン）
１２  ＩＥＥＥ１３９４インタフェース
１５  機器制御部（接続検知手段、電源検知手段、電源制御手段）
１６  記録再生部（記録手段）
１７  ＤＶＤ（記録媒体）
【図１】
2007174608.tif 000003
【図２】
2007174608.tif 000004
【図３】
2007174608.tif 000005
【図４】
2007174608.tif 000006
【図５】
2007174608.tif 000007